(57)【特許請求の範囲】
【請求項１】
上面に大気を吸い込むための逆止弁（７）を備えた水面圧で気体を圧縮する密閉容器からなるコンプレッサ（６）とこのコンプレッサ（６）から５０００ｍまでの高所に雨水や雪溶け水を溜める貯水槽（１）を設け、又、１０００ｍまでの高所には上面に圧縮空気を大気に放出するための開閉弁１０（１６）を備えたタンク（１７）を設けると共に、前記コンプレッサ（６）の下面と貯水槽（１）の下面とは開閉弁１（４）を介して貯水槽（１）からコンプレッサ（６）に雨水や雪溶け水を圧送し、コンプレッサ（６）内の空気を圧縮するために配水管（２）で連通させ、前記コンプレッサ（６）の下面と開閉弁１（４）の間の配水管（２）には開閉弁３（５）を介してタンク（１７）の水をコンプレッサ（６）に圧送し、コンプレッサ（６）内の圧縮空気を更に圧縮するために耐圧配管（２０）でタンク（１７）の下面に連通させ、開閉弁１（４）と開閉弁３（５）の間の管には排水弁２（３）を設け、更に、前記コンプレッサ（６）とタンク（１７）のそれぞれ上面は開閉弁４（９）と開閉弁５（１２）を介して配管で連通され、前記開閉弁４（９）と開閉弁５（１２）の間の配管には圧縮空気を貯める空気槽１（１０）と管で連通し、コンプレッサ（６）で圧縮された一次圧縮空気は開閉弁４（９）を介して空気槽１（１０）に貯められると共に、前記一次圧縮された空気は空気槽１（１０）から開閉弁５（１２）を介してタンク（１７）に導入される一方、前記コンプレッサ（６）とタンク（１７）のそれぞれ上面は開閉弁６（１１）と開閉弁７（１３）を介して配管でつながり、前記開閉弁６（１１）と開閉弁７（１３）の間の配管には圧縮空気を貯める空気槽２（２１）と管で連通しており、前記空気槽１（１０）に貯められた一次圧縮空気は開閉弁４（９）を介してコンプレッサ（６）の上部に導入され、次いで、前記タンク（１７）に導入された一次圧縮空気とタンク（１７）の水が開閉弁３（５）を介して落差ｈによりコンプレッサ（６）に圧送されることにより、前記コンプレッサ（６）の上部に導入された一次圧縮空気が更に圧縮されて二次圧縮空気となり、コンプレッサ（６）から開閉弁６（１１）を介して空気槽２（２１）に貯められ、他方、圧縮気体を貯めるためにガス槽３（１８）とガス槽４（１９）が設けられ、開閉弁８（１４）を介してガス槽３（１８）と又、開閉弁９（１５）を介してガス槽４（１９）とは、それぞれ前記コンプレッサ（６）の上面と管で連通され、ガス槽３（１８）に貯存されている低圧ガスが開閉弁８（１４）を介してコンプレッサ（６）の上部に送られて圧縮され、この圧縮されたガスはコンプレッサ（６）から開閉弁９（１５）を介してガス槽４（１９）に貯められると共に、前記空気槽１（１０）と空気槽２（２１）とガス槽３（１８）とガス槽４（１９）に圧縮気体を貯めるために開閉弁１（４）、開閉弁３（５）から開閉弁１０（１６）の全てと排水弁２（３）及び逆止弁（７）を制御することを特徴とする自動エココンプレッサ。
【発明の詳細な説明】
【技術分野】
【０００１】  本発明は、潮やダム、雨水および雪溶け水などの位置エネルギーを空気圧に変換させ、得た低圧空気を用いて、自身の圧力を高めることが出来る自動エココンプレッサに関する。【０００２】
純度１００％気体を低コストで圧縮する自動エココンプレッサに関する。
【背景技術】
【０００３】
現在、雨水や雪溶け水等は、水力発電以外、再生可能な自然エネルギーとして利用されていない。又、ダムに流される前の水やダムに流されてない水の位置エネルギーが回収されないまま消えているのは現状です。
【０００４】
近年地球温暖化が進み、世界各地毎年集中豪雨による水災害が多発し、それを防ぐ有効な対策は依然課題となっている。
【０００５】
産業上使われているエアコンプレッサは、往復駆動式が主流で、ピストンとシリンダの焼付きを防ぐ為に潤滑油が使われ、圧縮されたエアの中に混ぜられた潤滑油を除去する為、様々なフィルターを使わなければならない。それでも純度１００％圧縮空気にならないし、コストも高い、効率が悪い。
【発明の開示】
【発明が解決しようとする課題】
【０００６】
低コストで、再生可能な自然エネルギーの回収と利用が出来る技術の提供を第１の課題とする。
【０００７】
低コストで、純度１００％気体を圧縮できる自動エココンプレッサの提供を第２の課題とする。
【課題を解決するための手段】
【０００８】本願発明は、上面に大気を吸い込むための逆止弁（７）を備えた水面圧で気体を圧縮する密閉容器からなるコンプレッサ（６）とこのコンプレッサ（６）から５０００ｍまでの高所に雨水や雪溶け水を溜める貯水槽（１）を設け、又、１０００ｍまでの高所には上面に圧縮空気を大気に放出するための開閉弁１０（１６）を備えたタンク（１７）を設けると共に、前記コンプレッサ（６）の下面と貯水槽（１）の下面とは開閉弁１（４）を介して貯水槽（１）からコンプレッサ（６）に雨水や雪溶け水を圧送し、コンプレッサ（６）内の空気を圧縮するために配水管（２）で連通させ、前記コンプレッサ（６）の下面と開閉弁１（４）の間の配水管（２）には開閉弁３（５）を介してタンク（１７）の水をコンプレッサ（６）に圧送し、コンプレッサ（６）内の圧縮空気を更に圧縮するために耐圧配管（２０）でタンク（１７）の下面に連通させ、開閉弁１（４）と開閉弁３（５）の間の管には排水弁２（３）を設け、更に、前記コンプレッサ（６）とタンク（１７）のそれぞれ上面は開閉弁４（９）と開閉弁５（１２）を介して配管で連通され、前記開閉弁４（９）と開閉弁５（１２）の間の配管には圧縮空気を貯める空気槽１（１０）と管で連通し、コンプレッサ（６）で圧縮された一次圧縮空気は開閉弁４（９）を介して空気槽１（１０）に貯められると共に、前記一次圧縮された空気は空気槽１（１０）から開閉弁５（１２）を介してタンク（１７）に導入される一方、前記コンプレッサ（６）とタンク（１７）のそれぞれ上面は開閉弁６（１１）と開閉弁７（１３）を介して配管でつながり、前記開閉弁６（１１）と開閉弁７（１３）の間の配管には圧縮空気を貯める空気槽２（２１）と管で連通しており、前記空気槽１（１０）に貯められた一次圧縮空気は開閉弁４（９）を介してコンプレッサ（６）の上部に導入され、次いで、前記タンク（１７）に導入された一圧縮空気とタンク（１７）の水が開閉弁３（５）を介して落差ｈによりコンプレッサ（６）に圧送されることにより、前記コンプレッサ（６）の上部に導入された一次圧縮空気が更に圧縮されて二次圧縮空気となり、コンプレッサ（６）から開閉弁６（１１）を介して空気槽２（２１）に貯められ、他方、圧縮気体を貯めるためにガス槽３（１８）とガス槽４（１９）が設けられ、開閉弁８（１４）を介してガス槽３（１８）と又、開閉弁９（１５）を介してガス槽４（１９）とは、それぞれ前記コンプレッサ（６）の上面と管で連通され、ガス槽３（１８）に貯存されている低圧ガスが開閉弁８（１４）を介してコンプレッサ（６）の上部に送られて圧縮され、この圧縮されたガスはコンプレッサ（６）から開閉弁９（１５）を介してガス槽４（１９）に貯められると共に、自動制御として開閉弁１を開け、コンプレッサ中の空気を水面圧によって圧縮し、開閉弁４を開け、空気槽１に貯める。次に開閉弁１，４を閉め、排水弁２を開け、水を放出し、逆止弁が開かれ、大気から空気が吸い込められ、再び排水弁２を閉め、開閉弁１，４を開け、このように圧縮空気が繰り返し空気槽１に貯められ、そして開閉弁１，５，６，７，８，９，及び排水弁２を閉め、開閉弁３を開け、空気槽１に貯められた圧縮空気が開閉弁４を通じてコンプレッサ上部に入れられ、開閉弁４を閉め、開閉弁５を開け、タンク上部に空気槽１より圧縮空気を入れると、コンプレッサ上部に入れられた同圧空気が落差ｈの水圧により更に圧縮され、開閉弁６を開け空気槽２に貯められる。そして、開閉弁５，６を閉め、タンク上部の圧縮空気を開閉弁１０によって放出、開閉弁４開け、空気槽１から圧縮空気を再びコンプレッサ上部に入れ、開閉弁４再度閉め、開閉弁５，６を開け、このように空気槽１より圧力の高い圧縮空気が繰り返して空気槽２に貯められる。同じ方法で空気槽２に貯められた圧縮空気を更に圧縮することができる。更に、ガスを圧縮する場合、開閉弁１，４，５，６，７，９，及び排水弁２を閉め、開閉弁８を開け、ガス槽３に貯存されている圧縮ガスをコンプレッサ上部に入れ、開閉弁８を閉め、開閉弁７を開け、空気槽２に貯められた圧縮空気をタンク上部に入れると、ガスが空気槽２の空気圧＋落差ｈの水圧まで圧縮され、開閉弁９を通じてガス槽４に貯められる。そして開閉弁９を閉め開閉弁５を開け、タンク上部の圧縮空気が空気槽１に回収され、開閉弁５を閉め、開閉弁８を開け、コンプレッサ上部に再びガスを入れ、開閉弁８を閉め、開閉弁７を開け、このように繰り返しガス槽３に貯められた圧縮ガスが更に圧縮された後ガス槽４に貯められることが出来る。【０００９】
第２の課題を解決するため、請求項１に説明したコンプレッサをいかして、１０００ｍまでの高所にタンクを設け、タンクとコンプレッサの間に開閉弁３を通じて耐圧配管をつなげ、開閉弁1，2，5，6，7，8．9を閉め、開閉弁3を開け、空気槽１に貯められた圧縮空気が開閉弁4を通じてコンプレッサ上部に入れられ、開閉弁4を閉め、開閉弁5を開け、タンク上部に空気槽１より圧縮空気を入れると、コンプレッサ上部に入れられた同圧空気が落差ｈの水圧により更に圧縮され、開閉弁6を開け空気槽２に貯められる。そして、開閉弁5，6を閉め、タンク上部の圧縮空気を開閉弁10によって放出、開閉弁4を開け、空気槽１から圧縮空気を再びコンプレッサ上部に入れ、開閉弁4を再度閉め、開閉弁5，6を開け、このように空気槽１より圧力の高い圧縮空気が繰り返して空気槽２に貯められる。同じ方法で空気槽２に貯められた圧縮空気を更に圧縮することができる。
【００１０】
又、上記説明のように、図２に示す開閉弁1，2，4，5，6，7，9を閉め、開閉弁8
を開け、ガス槽３に貯存されている圧縮ガスをコンプレッサ上部に入れ、開閉弁8を
閉め、開閉弁7を開け、空気槽２から圧縮空気をタンク上部に入れると、ガスが空気
槽２の空気圧＋落差ｈの水圧まで圧縮され、開閉弁9を通じてガス槽４に貯められる。
そして、開閉弁9を閉め、開閉弁5を開け、タンク上部の空気が空気槽１に回収され、
開閉弁5を閉め、開閉弁8を開け、コンプレッサ上部に再びガスを入れ、開閉弁8
を閉め、開閉弁7を開け、このようにガス槽３に貯められた圧縮ガスが更に圧縮され
た後ガス槽4に貯められることができる。
【発明の効果】
【００１１】
この技術の普及によって、再生可能な自然エネルギーの回収ができ、同時に集中豪雨等による水災害の緩和や防止もできる。又、貯められた圧縮空気は、都会では防災や空気圧が利用される機器に使われるし、水の少ない地区への送水等空気圧エネルギーの積極的利用によって、低炭素社会の実現に役に立つことができる。
【産業上の利用可能性】
【００１２】
呼吸器用ボンベに詰められる空気の安全性が求められている。本発明は、これに応え、低コストで安全な純度１００％圧縮空気を得ることができる。
【００１３】
潤滑油などの異物が一切使用されてないので、低コストで純度１００％ガスの圧縮ができる。
【図面の簡単な説明】
【００１４】
【図１】雨水や雪溶け水など高所にある水の位置エネルギーを空気圧に変換させ、再生可能な自然エネルギーの回収方法を表わす。
【図２】低コストで純度１００％気体を圧縮できる仕組みを表す。
【図３】本発明の全体図
【符号の説明】
【００１５】
１  高所に設置される貯水槽
２  配水管
３  排水弁２
６  コンプレッサ本体
７  大気吸い込む逆止弁
８  圧縮空気配管
１０一次圧縮された圧縮空気貯存用空気槽１
１７高所に設置されるタンク
１８ガス槽３
１９ガス槽４
２０耐圧配管
２１二次圧縮された圧縮空気貯存用空気槽２
ｈ  液体の落差
【図１】
0005046125.tif 000002
【図２】
0005046125.tif 000003
【図３】
0005046125.tif 000004